(57)【要約】【課題】第１筐体および第２筐体が積層した携帯状態から第１筐体および第２筐体の互いの対向面を平行移動させることにより伸張状態となる携帯端末において、総体的に薄型化できる携帯端末を提供する。【解決手段】第１筐体２０と第２筐体３０とをスライド可能に連結するレール４１およびガイド４４を有する連結部４０の一部が、第１筐体２０の第１回路基板５０と第２筐体３０の第２回路基板６０とを接続する接続配線５２一部を覆うので、接続配線５２を覆う部品を別途設ける必要がなくなる。これにより、部品点数を減少させるとともに、携帯端末１０の薄型化を図ることができる。また、両筐体２０、３０が積層状態に重なっている携帯状態および第１筐体２０および第２筐体３０が段違い配置される使用時である伸張状態に関わらずシールド性を確保できる。【選択図】図６
2008131544.tif 000002
【特許請求の範囲】
【請求項１】
表示部を有する第１筐体と、
操作部を有する第２筐体と、
前記第１筐体に収容される第１回路基板と前記第２筐体に収容される第２回路基板とを接続する接続配線と、
前記接続配線の一部を覆うように配置され、前記第２筐体に対し前記第１筐体をスライド移動させる連結部と、備えたことを特徴とする携帯端末。
【請求項２】
前記第１筐体と前記第２筐体とがそれぞれ段差形状を有し、前記第１筐体と前記第２筐体とが積層した状態では、前記第１筐体の段差の低い部分の一部と前記第２筐体の段差の高い部分の一部とが重なりあった状態となることを特徴とする請求項１記載の携帯端末。
【請求項３】
前記レールが、断面略凸字状であることを特徴とする請求項１または請求項２に記載の携帯端末。
【請求項４】
前記レールが、金属製であることを特徴とする請求項１から請求項３のいずれかに記載の携帯端末。
【請求項５】
前記レールが、平面略Ｈ形状であることを特徴とする請求項１から請求項４のいずれかに記載の携帯端末。
【発明の詳細な説明】
【技術分野】
【０００１】
本発明は携帯端末に係り、特に第１筐体の裏面および第２筐体の表面が互いに対面するように積層された携帯状態と、第１筐体の裏面および第２筐体の表面が相対的に平行移動して段違い配置される伸張状態とを選択可能な携帯端末に関する。
【背景技術】
【０００２】
特許文献１の携帯端末は、上部筐体の表面に表示部（ＬＣＤ）および副操作部が設けられているとともに、下部筐体の表面に主操作部とが設けられている。主操作部は、入力キーおよび機能キーを多数備える。
この携帯端末は、連結部を介して上部筐体と下部筐とが相対的にスライド可能に連結されており、両筐体をスライドさせることにより、上部筐体の裏面および下部筐体の表面が互いに対面するように上部筐体および下部筐体が互いに積層した携帯状態と、上部筐体の裏面および下部筐体の表面が相対的に平行移動して上部筐体および下部筐体が段違い配置される伸張状態とを選択可能である（特許文献１参照）。
このような携帯端末は、伸張状態において、上部筐体の副操作部と、下部筐体の主操作部とが隣接し、副操作部および主操作部が互いに連係して操作される。
【０００３】
このようなスライド式の携帯端末においては、第１筐体である上筐体に収容されている上回路基板と、第２筐体である下筐体に収容されている下回路基板とが、フレキシブルプリント配線（ＦＰＣ）により接続されるのが一般的である。また、上筐体と下筐体とをスライド可能に連結する連結部では、上筐体および下筐体の一方にレールを設け、他方にガイドを設けて、レールとガイドとをスライド可能に連結している。
従って、上筐体と下筐体とをスライドさせた際には、フレキシブルプリント配線が折り返し位置を変化させながら相対移動することになる。
【特許文献１】特開２００５−２４４６７９号公報
【発明の開示】
【発明が解決しようとする課題】
【０００４】
ところで、従来より携帯端末においては、上回路基板に接続された他のフレキシブルプリント配線や、あるいは上回路基板に実装された電子部品のうち、電気的にシールドする必要があるものがある。
しかしながら、従来のスライド式の携帯端末においては、電気的にシールドされるべきフレキシブルプリント配線や電子部品が、専用のシールド部材によってシールドされている。このため、部品点数が多くなるとともに、筐体が厚くなるので、携帯端末の薄型化に限界があった。
【０００５】
本発明は、前述した要望を満たすためになされたもので、その目的は、第１筐体および第２筐体が積層した携帯状態から第１筐体および第２筐体の互いの対向面を平行移動させることにより伸張状態となる携帯端末において、総体的に薄型化できる携帯端末を提供することにある。
【課題を解決するための手段】
【０００６】
本発明の携帯端末は、表示部を有する第１筐体と、操作部を有する第２筐体と、前記第１筐体に収容される第１回路基板と前記第２筐体に収容される第２回路基板とを接続する接続配線と、前記接続配線の一部を覆うように配置され、前記第２筐体に対し前記第１筐体をスライド移動させる連結部と、備えたことを特徴とする。
【０００７】
この構成により、第１筐体と第２筐体とをスライド移動させる連結部が接続配線の一部を覆うように配置されているので、接続配線を覆う部品を別途設ける必要がなくなる。これにより、部品点数を減少させるとともに、携帯端末の薄型化を図ることができる。また、第１筐体と第２筐体とが積層して重なっている携帯状態や、第１筐体および第２筐体が段違い配置される使用時である伸張状態に関わらず接続配線のシールド性を確保できる。
【０００８】
さらに、本発明の携帯端末は、前記第１筐体と前記第２筐体とがそれぞれ段差形状を有し、前記第１筐体と前記第２筐体とが積層した状態では、前記第１筐体の段差の低い部分の一部と前記第２筐体の段差の高い部分の一部とが重なりあった状態となることを特徴とする。
【０００９】
この構成により、第１筐体と第２筐体とが積層して重なっている携帯状態や、第１筐体および第２筐体が段違い配置される使用時である伸張状態に関わらず厚みを薄型化できる。
【００１０】
また、本発明の携帯端末は、前記レールが、断面略凸字状である構成を有している。
【００１１】
この構成により、凸部の内部（すなわち凹部）に接続配線を収納できるので、強度を保持しつつ携帯端末の薄型化を図ることができる。
【００１２】
さらに、本発明の携帯端末は、前記レールが、金属製である構成を有している。
【００１３】
この構成により、レールを金属で形成することにより、強度を確保するとともに、シールド効果を有できる。
【００１４】
さらに、本発明の携帯端末は、前記レールが、平面略Ｈ形状である構成を有している。
【００１５】
この構成により、２本のレールと、両レールを連結する部分とを設けることができ、２本のレールを確実に保持できる。また、接続配線をシールする部分を確保できる。
【発明の効果】
【００１６】
本発明は、部品点数を減少させるとともに、携帯端末の薄型化を図ることができるという効果を有する携帯端末を提供できるものである。
【発明を実施するための最良の形態】
【００１７】
以下、本発明の実施の形態携帯端末について、図面を用いて説明する。
図１（Ａ）は本発明の実施形態にかかる携帯端末の携帯状態を表面側から見た斜視図、図１（Ｂ）は裏面側から見た斜視図、図２は伸張状態における斜視図、図３は上筐体および下筐体を下筐体側から見た分解斜視図、図４は上回路基板の底面図、図５は図４中Ｖ−Ｖ位置の断面図、図６（Ａ）は携帯状態における図４中ＶＩ−ＶＩ位置の断面図、図６（Ｂ）は伸張状態における図４中ＶＩ−ＶＩ位置の断面図である。
【００１８】
図１（Ａ）、（Ｂ）および図２に示すように、携帯端末１０は、矩形箱状をした第１筐体である上筐体２０と、同様に矩形箱状をした第２筐体である下筐体３０と、上筐体２０および下筐体３０をスライド可能に連結する連結部４０（図３参照）を有している。
従って、上筐体２０および下筐体３０を連結部４０によって相対的に移動させることにより、上筐体２０と下筐体３０が互いに積層した携帯状態（図１（Ａ）、（Ｂ）参照）と、上筐体２０および下筐体３０が段違い配置される伸張状態（図２参照）とが選択可能となっている。
【００１９】
上筐体２０は、アッパーカバー２１とアッパーケース２２を有しており、アッパーカバー２１の上面２１ａにはＬＣＤによる表示部２３、ナビ操作部２４、レシーバ２５、自分撮りカメラ２６等が設けられている。また、アッパーケース２２の下面２２ａには、相手撮りカメラ５１用のカメラ窓２７が設けられている（図３参照）。
このような上筐体２０は、ナビ操作部２４が段差の低い部分となる段差形状を有している。
【００２０】
下筐体３０は、矩形箱状のロアーケース３２と、ロアーケース３２の一方の端部付近を覆うロアーカバー３１を有している。ロアーケース３２の下面３２ａには、電池カバー３３、相手撮りカメラ５１用のカメラ窓３４等が設けられている。また、ロアーカバー３１の上面３１ａには、複数のキー３５ａを有する主操作部３５、マイク３６等が設けられている。
このような下筐体３０は、主操作部３５が段差の高い部分となる段差形状を有している。
【００２１】
図１（Ａ）に示すように、上筐体２０と下筐体３０とが完全に重なった携帯状態では、下筐体３０に設けられている操作部３５は完全に隠れており、図２に示すように、上筐体２０および下筐体３０をスライドさせた伸張状態にすることにより現れて操作可能となる。
すなわち、上筐体２０と下筐体３０とは、携帯状態あるいは伸張状態に関わらず、上筐体２０の段差の低い部分（ナビ操作部２４）の一部と下筐体３０の段差の高い部分（主操作部３５）の一部とが重なりあった状態となる。
【００２２】
図３に示すように、上筐体２０のアッパーカバー２１とアッパーケース２２で形成される内部空間には、第１回路基板である上回路基板５０が内蔵されている。上回路基板５０には、上回路基板５０を下筐体３０に内蔵されている第２回路基板である下回路基板６０と接続するＦＰＣ（フレキシブルプリント配線板）からなる接続配線５２が設けられている。
【００２３】
上回路基板５０には、相手撮りカメラ５１や、ＬＣＤ（図示省略）に接続されるＬＣＤ配線板５３、ナビ操作部２４のキーシート２４ａからの配線板２４ｂが接続されるナビキーコネクタ５４、バックライド配線板５５が接続されるバックライトコネクタ５６等が設けられている。上回路基板５０は、アッパーカバー２１に設けられている係止爪２１ｂによってアッパーカバー２１に係止されるとともに、後述するスライドレール４１とともにネジ４１ａによってスライドレール４１とともにアッパーカバー２１に締結されている。
【００２４】
図３および図４に示すように、上筐体２０内部における上回路基板５０の下側（図３においては上側）には、上筐体２０と下筐体３０とをスライド可能に連結する連結部４０を構成するレールである金属製のスライドレール４１が設けられている。
このスライドレール４１は、ネジ４１ａによって上回路基板５０を介してアッパーカバー２１に締結されるとともに、ネジ４１ｂによって上回路基板５０に締結されている。
【００２５】
図３および図４に示すように、スライドレール４１は、左右一対のレール部４２ａ、４２ｂと、この両レール部４２ａ、４２ｂを連結する幅広の被覆部４３とから全体Ｈ字状に形成されている。図５に示すように、スライドレール４１の被覆部４３は、中央部分が凸字状をしており、内部（凹部）に接続配線５２等を収容できるようになっている。
これにより、強度を保持しつつ携帯端末１０の薄型化を図ることができるようになっている。
【００２６】
図３に示すように、下筐体３０におけるロアーカバー３１とロアーケース３２との間には、連結部４０を構成するガイドであるスライドベース４４が取付けられている。すなわち、スライドベース４４はネジ４５ａによってロアーカバー３１とロアーケース３２との間に固定されると共に、ネジ４５ｂによってロアーケース３２に固定されている。
なお、スライドベース４４の左右両端部は、上方（図３において下方）へ折り曲げ、さらに内側に折り曲げ加工されて、先端がＬ字状のガイド部４５ａ、４５ｂが形成されている。
【００２７】
従って、図３に示すように、スライドベース４４の左右両側に設けられているガイド部４５ａ、４５ｂが、スライドレール４１のレール部４２ａ、４２ｂを抱え込むように係合することにより、スライドレール４１はスライドベース４４に沿って前後方向（図３において左右方向）へスライド可能となっている。
また、アッパーケース２２はロアーケース３２の内側に沿って移動可能となっている。
【００２８】
図６（Ａ）に示すように、上筐体２０と下筐体３０とが完全に重なった携帯状態では、上回路基板５０に接続されている接続配線５２の折り返し位置５２ａは、スライドレール４１の被覆部４３から左側へ外れた位置にあって、下回路基板６０に接続されている。
このため、上筐体２０および下筐体３０を相対的にスライドさせて伸張状態としたときには、図６（Ｂ）に示すように、下回路基板６０が上回路基板５０に対して図６中右方向へ移動するため、接続配線５２の折り返し位置５２ａが右方向へ移動する。
この際、いずれの場合でも、接続配線５２はスライドレール４１の被覆部４３によってシールドされることになる。
【００２９】
以上、説明した携帯端末１０によれば、上筐体２０と下筐体３０とをスライド可能に連結する連結部４０の一部であるスライドレール４１の被覆部４３が、上筐体２０の上回路基板５０と下筐体３０の下回路基板６０とを接続する接続配線５２の一部を覆うので、接続配線５２を覆う部品を別途設ける必要がなくなる。
これにより、部品点数を減少させるとともに、携帯端末１０の薄型化を図ることができる。また、両筐体２０、３０が積層状態に重なっている携帯状態および上筐体２０および下筐体３０が段違い配置される使用時である伸張状態に関わらずシールド性を確保できる。
【００３０】
なお、前述した実施形態では、上筐体２０にスライドレール４１を設け、下筐体３０にスライドベース４４を設けた場合に付いて説明したが、上筐体２０にスライドベース４４を設け、下筐体３０にスライドレール４１を設けることも可能である。
また、前述した実施形態では、スライドレール４１の被覆部４３によって接続配線５２を覆った場合について説明したが、レール部４２ａ、４２ｂによって接続配線５２を覆うことも可能である。さらに、前述した実施形態では、スライドレール４１の一部で接続配線５２をシールドする場合について説明したが、スライドベース４４の一部によって接続配線５２をシールドするようにすることも可能である。
【産業上の利用可能性】
【００３１】
以上のように、本発明によれば、部品点数を減少させるとともに、携帯端末の薄型化を図ることができるという効果を有し、第１筐体および第２筐体が積層された携帯状態と、第１筐体および第２筐体が相対的に平行移動して段違い配置される伸張状態とを選択可能な携帯端末等として有用である。
【図面の簡単な説明】
【００３２】
【図１】（Ａ）は本発明の実施の形態にかかる携帯端末の携帯状態を表面側から見た斜視図、（Ｂ）は裏面側から見た斜視図である。
【図２】伸張状態における斜視図である。
【図３】上筐体および下筐体を下筐体側から見た分解斜視図である。
【図４】上回路基板の底面図である。
【図５】図４中Ｖ−Ｖ位置の断面図である。
【図６】（Ａ）は携帯状態における図４中ＶＩ−ＶＩ位置の断面図、（Ｂ）は伸張状態における図４中ＶＩ−ＶＩ位置の断面図である。
【符号の説明】
【００３３】
１０  携帯端末
２０  上筐体（第１筐体）
３０  下筐体（第２筐体）
４０  連結部
４１  スライドレール（レール）
４３  被覆部（連結部の一部）
４４  スライドベース（ガイド）
５０  上回路基板（第１回路基板）
５２  接続配線
６０  下回路基板（第２回路基板）
【図１】
2008131544.tif 000003
【図２】
2008131544.tif 000004
【図３】
2008131544.tif 000005
【図４】
2008131544.tif 000006
【図５】
2008131544.tif 000007
【図６】
2008131544.tif 000008